(57)【要約】【課題】  コイルばねを用いて、容易にランプ装置の突出部を器具本体に面接触して密着させることが可能な照明器具を提供する。【解決手段】  照明器具１は、平面状の平板部９を有する器具本体２と、円筒部２２の内壁面２２ｃに形成された係止凹部１７を有するソケット装置３と、ソケット装置３を器具本体２に取り付ける取付け手段のねじ４およびコイルばね５と、突出部３７の外壁面３７ｂに設けられソケット装置３の係止凹部１７に嵌合する係止凸部４０を有するランプ装置６とを有し、突出部３７の上面３７ａが器具本体２の平面部９に当接し、コイルばね５がさらに圧縮されるようにソケット装置３にランプ装置６が取り付けられる。【選択図】図２
2012009292.tif 000002
【特許請求の範囲】
【請求項１】
平面状の平板部およびこの平板部に設けられた複数個のねじ孔を有する器具本体と；
一面の中央領域に円形状の開口を有し前記一面と反対側の他面に設けられた円筒部を有するソケット本体と、前記円筒部の内壁面にソケット本体の前記一面から形成された縦溝部およびこの縦溝部に連通し前記円筒部の内壁面の周回方向に形成された横溝部を有する略Ｌ形の係止凹部と、前記ソケット本体の他面側に立設された複数個の柱体と、この柱体をソケット本体の一面から貫通し、ソケット本体側がねじの頭部を挿入可能に非ソケット本体側がねじの頭部を挿入不能に形成された段部を有する貫通孔と、前記ソケット本体に形成された一対の接続孔と、この接続孔に対応して前記ソケット本体の他面側に設けられるとともに外部電源に接続された受金とを有するソケット装置と；
ねじおよびコイルばねを有し、コイルばねが前記ソケット装置の貫通孔にソケット本体の一面側から挿入されて段部に当接され、前記コイルばねおよび前記貫通孔を挿通したねじのねじ部が前記器具本体のねじ孔に螺着されて前記ソケット装置の柱体を前記器具本体の平板部に固定させるとともに、ねじの頭部が前記ソケット装置のソケット本体の一面から突出しないように前記貫通孔に収容されかつ前記コイルばねがさらに圧縮可能となるようにして前記ソケット装置を前記器具本体に取り付けている取付け手段と；
一端側に平面部を有する筒状の基体、前記平面部の中央領域から上方に突出され平面状の上面を有する円筒状であって前記ソケット装置の円筒部に近接して挿入可能に形成された突出部、前記平面部から上方に突設され前記ソケット装置の一対の接続孔に差し込まれて一対の受金に電気接続される一対の接続ピンおよび前記突出部の外壁面に設けられ前記ソケット装置の係止凹部に嵌合可能に形成された係止凸部を有する口金本体と、前記基体の他端側に設けられた照明用ランプと、前記一対の接続ピンを介して給電されて動作し前記照明用ランプを点灯する点灯装置とを有し、前記係止凸部が前記ソケット装置の係止凹部の縦溝部に嵌合するように前記突出部が前記ソケット装置の円筒部に挿入され、口金本体の回動によって前記係止凸部が前記係止凹部の縦溝部から横溝部に移動して嵌合したときに、前記ソケット装置に取り付けられるとともに、前記取付け手段のコイルばねがさらに圧縮されるように前記突出部の上面が前記器具本体の平板部に当接するように構成されているランプ装置と；
を具備していることを特徴とする照明器具。
【請求項２】
平面状の平板部およびこの平板部に設けられた複数個のねじ孔を有する器具本体と；
一面の中央領域に円形状の開口を有して前記一面と反対側の他面に設けられた円筒部を有するソケット本体と、前記円筒部の内壁面にソケット本体の前記一面から形成された縦溝部およびこの縦溝部に連通し前記円筒部の内壁面の周回方向に形成された横溝部を有する略Ｌ形の係止凹部と、この係止凹部の横溝部の前記ソケット本体側に設けられ、押圧されたときの抗力が前記ソケット本体の反対側に作用する板ばねと、前記ソケット本体の他面側に立設された複数個の柱体と、この柱体を前記ソケット本体の一面から貫通し、ソケット本体側がねじの頭部を挿入可能に非ソケット本体側がねじの頭部を挿入不能に形成された段部を有する貫通孔と、前記ソケット本体に形成された一対の接続孔と、この接続孔に対応して前記ソケット本体の他面側に設けられるとともに外部電源に接続された受金とを有するソケット装置と；
ねじを有してなり、このねじのねじ部が前記ソケット装置の貫通孔を挿通し前記器具本体のねじ孔に螺着されるとともに、前記ねじの頭部が前記ソケット装置のソケット本体の一面から突出しないようにかつ前記貫通孔の段部に当接するようにして前記ソケット装置の柱体を前記器具本体の平板部に固定させることにより、前記ソケット装置を前記器具本体に取り付けている取付け手段と；
一端側に平面部を有する筒状の基体、前記平面部の中央領域から上方に突出され平面状の上面を有する円筒状であって前記ソケット装置の円筒部に近接して挿入可能に形成された突出部、前記平面部から上方に突設され前記ソケット装置の一対の接続孔に差し込まれて一対の受金に電気接続される一対の接続ピンおよび前記突出部の外壁面に設けられ前記ソケット装置の係止凹部の縦溝部にかつ前記板ばねを押圧して横溝部にそれぞれ嵌合可能に形成された係止凸部を有する口金本体と、前記基体の他端側に設けられた照明用ランプと、前記一対の接続ピンを介して給電されて動作し前記照明用ランプを点灯する点灯装置とを有し、前記係止凸部が前記ソケット装置の係止凹部の縦溝部に嵌合するように前記突出部が前記ソケット装置の円筒部に挿入され、口金本体の回動によって前記係止凸部が前記係止凹部の縦溝部から横溝部に移動し前記板ばねを押圧して嵌合したときに、前記ソケット装置に取り付けられるとともに、前記突出部の上面が前記器具本体の平板部に当接するように構成されているランプ装置と；
を具備していることを特徴とする照明器具。
【請求項３】
前記ソケット装置は、３個以上の前記柱体が立設され、各柱体に前記貫通孔が形成され、前記器具本体は、前記柱体に対応してねじ孔が形成されていることを特徴とする請求項１または２記載の照明器具。
【発明の詳細な説明】
【技術分野】
【０００１】
本発明の実施形態は、ソケット装置を備え、このソケット装置に照明用ランプを搭載したランプ装置が取り付けられる照明器具に関する。
【背景技術】
【０００２】
ＩＥＣ（国際電気標準会議）で規格されたＧＸ５３形の口金を用いるとともに発光ダイオードを光源としたランプ装置と、このランプ装置が着脱可能に取り付けられるＧＸ５３形口金用のソケット装置とを器具本体に備える照明器具が本発明の出願人によって提案されている（特許文献１参照。）。この照明器具は、ソケット装置に保持されたランプ装置の口金部と、放熱体としての器具本体とを接触方向に押圧する押圧体を具備しているものである。
【０００３】
そして、実施形態の押圧体として例えばゴムなどの弾性体が用いられている。ランプ装置をソケット装置に装着した状態では、例えばゴムの押圧によってソケット装置が器具本体側へ押圧されるので、ソケット装置の上面から突出する口金部の突出部の端面を器具本体の平板部に押し付けて密着させることができる。これにより、ランプ装置の点灯時に発生した熱は、口金部の突出部から器具本体に効率的に熱伝導して放熱できるものである。
【先行技術文献】
【特許文献】
【０００４】
【特許文献１】特開２０１０−１２９４８７号公報（第６頁、第１図）
【発明の概要】
【発明が解決しようとする課題】
【０００５】
押圧体としてゴムを用いると、ゴムの伸縮量は小さいので、ソケット装置から器具本体側に突出するランプ装置の口金部の突出部の寸法を厳格に設定する必要があり、また、ランプ装置の突出部を器具本体に密着させる押圧力が低いものであった。また、ゴムは、経年劣化により、その伸縮性が低下するおそれがある。
【０００６】
また、押圧体としてスプリングを用い、このスプリングを器具本体にソケット装置を取り付ける一対のねじのねじ軸に介在させると、一対のねじにおけるスプリングの押圧力（弾性復帰力）の相違により、ランプ装置の突出部の端面の全域が器具本体の平板部に密着しにくいことがあった。突出部の端面を器具本体の平板部に完全に密着させるには、一対のねじにおけるスプリングの押圧力（弾性復帰力）をほぼ均等にする必要があり、このため、ねじのねじ軸に螺着されるナットの螺合調整が必要である場合があった。
【０００７】
本発明は、コイルばねを用いて、容易にランプ装置の突出部を器具本体に面接触して密着させることが可能な照明器具を提供することを目的とする。
【課題を解決するための手段】
【０００８】
本発明の実施形態の照明器具は、器具本体、ソケット装置、取付け手段およびランプ装置を有して構成される。
【０００９】
実施形態の器具本体は、複数個のねじ孔が設けられた平面状の平板部を有して構成される。したがって、器具本体は、平板のみでも構成される。器具本体が筐体や箱状に形成されているときは、通常、それらの底板または天板が平板部となる。ねじ孔は、ソケット装置をねじにより固定するものである。
【００１０】
器具本体は、熱伝導性および放熱性に優れるとともに熱変形の少ないアルミダイキャストなどの材料で形成されていることが好ましく、外周面には複数の放熱フィンを設けてもよい。
【００１１】
実施形態のソケット装置は、ランプ装置が着脱されるものであり、ソケット本体、係止凹部、柱体、貫通孔、一対の接続孔および受金を有して構成される。
【００１２】
ソケット本体は、一面（下面）の中央領域に円形状の開口を有して他面（上面）に設けられた円筒部を備えている。円筒部は、前記開口から後述のランプ装置の突出部が挿入され、後述の係止凹部によりランプ装置を支持する。ソケット本体は、例えば板状に形成され、その他面や縁部にリブなどの補強部材を設けて形成してもよい。
【００１３】
係止凹部は、円筒部の内壁面に縦溝部および横溝部を有する略Ｌ形に形成されるものであり、後述のランプ装置の係止凸部が嵌合される。縦溝部は、ソケット本体の一面から円筒部の突出方向（円筒部の周回方向と直交する方向）に形成される。横溝部は、縦溝部に連通するとともに、円筒部の周回方向に形成される。
【００１４】
柱体は、ソケット本体の他面側に立設されたものであり、器具本体に設けられたねじ孔に対応して複数個が設けられている。そして、柱体は、器具本体の平面部に取り付けられるので、その高さが円筒部の高さ以上となっているのがよい。柱体が器具本体に取り付けられることにより、ソケット装置が器具本体に取り付けられる。また、柱体は、貫通孔を形成するためのものであり、その外形状は、円形、多角形など、特に問わない。
【００１５】
貫通孔は、柱体をソケット本体の一面から柱体の立設方向で貫通するように形成されたものであり、ソケット本体側が径大に、非ソケット本体側が径小の段部を有するように形成されている。すなわち、ソケット本体側は、後述のねじの頭部を挿入可能な大きさに形成され、非ソケット本体側は、ねじの頭部を挿入不能であってねじのねじ部を挿通可能な大きさに形成される。
【００１６】
貫通孔は、ソケット本体側からねじが挿入される。また、貫通孔の段部よりもソケット本体側には、後述のコイルばねが挿入される。ソケット本体の一面から段部までの深さは、ソケット装置が器具本体に取り付けられたときに、ねじの頭部がソケット本体の一面から突出することがないように設定される。それは、ソケット本体の一面には、後述のランプ装置の基体の平面部を近接または接触させることを意図し、または、当該平面部が近接または接触することがあることによる。貫通孔の孔の形状は、円形、角形など、特に問わない。
【００１７】
一対の接続孔は、後述のランプ装置の一対の接続ピンに対応して設けられたものであり、ソケット本体に接続ピンを差し込むことができるように形成されている。また、ランプ装置は、ソケット装置への取付時に回動されるので、当該回動に伴って一対の接続ピンが移動可能に略円弧状の長孔に形成されている。
【００１８】
受金は、一対の接続孔に対応してソケット本体にそれぞれ設けられたものである。そして、受金は、一対の接続孔に差し込まれたランプ装置の一対の接続ピンに、ランプ装置が前記回動されたときに電気接続するように設けられている。受金は、ソケット装置に入力される外部電源に電気接続されるようにしている。
【００１９】
実施形態の取付け手段は、ねじおよびコイルばねを用いて、ソケット装置を器具本体に取り付けるものである。ねじは、頭部および器具本体のねじ孔に螺着されるねじ部を有する。コイルばねは、その伸縮方向をねじの頭部およびソケット装置の貫通孔の段部で挟み込み可能であって、ねじのねじ部が挿通可能の大きさに形成されている。
【００２０】
コイルばねは、ソケット装置の貫通孔にソケット本体の一面側から挿入される。同様に、ねじのねじ部が挿入されて、器具本体のねじ孔に螺着される。コイルばねは、ねじの頭部に押圧されて貫通孔の段部に当接し、圧縮する。ねじは、その頭部がソケット本体の一面から突出しないように貫通孔に収容されるとともに、さらにコイルばねが圧縮可能となるように、そのねじ部が器具本体のねじ孔に螺着される。コイルばねには、圧縮による弾性復帰力（抗力）が発生し、この弾性復帰力が貫通孔の段部において柱体を器具本体側に押圧する。柱体は、器具本体の平面部に当接して固定される。これにより、ソケット装置は、器具本体に取り付けられる。
【００２１】
実施形態のランプ装置は、口金本体、照明用ランプおよび点灯装置を有して構成される。そして、口金本体は、ＩＥＣ（国際電気標準会議）で規格化されたＧＸ５３形の口金構造に構成され、基体、突出部、一対の接続ピンおよび係止凸部を有する。
【００２２】
基体は、筒状に形成され、その一端側が平面部に形成されている。突出部は、基体の平面部の中央領域から上方に突出する円筒状であって平面状の上面を有するように形成される。また、突出部は、ソケット装置の円筒部の内壁面に近接して円筒部に挿入可能に、その外径（大きさ）が設定されている。
【００２３】
一対の接続ピンは、ソケット装置の一対の接続孔に対応し、基体の平面部から上方に突設されているとともに、リード線などを用いて点灯装置の入力側に接続されている。一対の接続ピンは、ランプ装置がソケット装置に取り付けられるときに、一対の接続孔に差し込まれて受金に電気接続される。
【００２４】
係止凸部は、突出部の外壁面に設けられ、ソケット装置の係止凹部に嵌合可能に形成されている。係止凸部が係止凹部に嵌合することにより、ランプ装置は、ソケット装置に支持されて取り付けられる。このとき、突出部の上面が器具本体の平板部に当接するように、突出部の基体の平面部からの高さが設定されている。
【００２５】
照明用ランプは、基体の他端側に設けられる。照明用ランプは、照明光を放射するものであればよく、蛍光ランプなどの放電ランプの他、発光ダイオードや有機エレクトロルミネッセンス素子などの固体発光素子も含まれる。
【００２６】
点灯装置は、一対の接続ピンを介して外部電源が供給されて動作し、照明用ランプを点灯するように形成されている。点灯装置は、口金本体に収容されるのが一般的であるが、基体の他端側に設けられてもよい。
【００２７】
ランプ装置は、ソケット装置に取り付けられるときに、その係止凸部がソケット装置の係止凹部の縦溝部に嵌合するように、その突出部がソケット装置の円筒部の内側に挿入される。そして、突出部の更なる挿入ができなくなったときに、口金本体を周回方向で回動させて、係止凸部を係止凹部の縦溝部から横溝部に移動させて嵌合させるものである。このときに、ランプ装置は、その突出部が器具本体に当接して、ソケット装置を引き寄せる。取付け手段のコイルばねは、さらに圧縮されて弾性復帰力が上昇する。ランプ装置は、当該上昇した弾性復帰力で器具本体側に押圧され、突出部の上面が器具本体の平板部に密接して当接するものである。
【００２８】
また、コイルばねを用いずに、器具本体に固定されたソケット装置に板ばねを設けて、この板ばねの抗力（弾性復帰力）によりランプ装置を器具本体側に押圧して、突出部の上面が器具本体の平板部に密接して当接するものである。
【００２９】
そして、ソケット装置は、３箇所以上で、ねじにより器具本体の平板部に取り付けられる。これにより、ソケット装置は、器具本体に安定して取り付けられる。ソケット装置に取り付けられるランプ装置は、その突出部の上面が器具本体の平板部に安定して面接触して密着するものである。
【発明の効果】
【００３０】
本発明によれば、ランプ装置をソケット装置に取り付けたときに、コイルばねまたは板ばねにランプ装置を器具本体側に押圧する弾性復帰力（抗力）を発生させる構成であるので、ランプ装置の突出部の上面を器具本体の平面部に密接に面接触させることができて、ランプ装置に発生した熱を迅速に器具本体に伝熱させて放熱させることが可能となる。
【図面の簡単な説明】
【００３１】
【図１】本発明の実施例１を示す照明器具の一部切り欠き概略縦断面図である。
【図２】同じく、図１のＡ部分の拡大図である。
【図３】同じく、ソケット装置を示し、（ａ）は概略上面図、（ｂ）は概略下面図である。
【図４】同じく、ソケット装置の内壁面の一部を示す概略斜視図である。
【図５】同じく、ランプ装置を示し、（ａ）は概略上面図、（ｂ）は概略側面図である。
【図６】本発明の実施例２を示す照明器具の一部概略縦断面図である。
【図７】同じく、ソケット装置の内壁面の一部を示す概略斜視図である。
【図８】本発明の実施例３を示すソケット装置の概略下面図である。
【図９】同じく、ランプ装置を示し、（ａ）は概略上面図、（ｂ）は概略側面図である。
【発明を実施するための形態】
【００３２】
以下、本発明の一実施の形態について、図面を参照して説明する。
【実施例１】
【００３３】
本発明の実施例１の照明器具は、図１ないし図５に示すように構成される。
【００３４】
図１において、照明器具１は、天井等に埋設されるダウンライトであり、器具本体２、ソケット装置３、取付け手段としてのねじ４およびコイルばね５、ランプ装置６を有して構成される。
【００３５】
器具本体２は、アルミダイキャストによって成型され、下端側２ａに開口部７および外方に突出する環状のフランジ部８を有し、上端側２ｂに上端側２ｂを閉塞するとともに平面状に形成された平板部９を有する略円筒状の箱体に形成されている。また、器具本体２の外面２ｃには、複数の放熱フィンを兼ねる補強片１０，１１などが形成されている。さらに、外面２ｃの下端側２ａには、フランジ部８との間で天井等を挟持する一対の取付けばね１２，１２が設けられている。そして、器具本体２の内面２ｄは、例えば白色塗装により反射面に形成されている。
【００３６】
平板部９の外面９ａには、天板１３が例えばリベット１４により取り付けられている。天板１３は、器具本体２の外方に延出されており、その下面側に図示しない端子台を取り付けている。当該端子台には、外部電源からの電源線が接続されている。
【００３７】
また、平板部９には、その内面９ｂから外面９ａに貫通するねじ孔１５が複数個（図中１個のみ示す。）が設けられている。そのねじ孔１５に、ねじ４およびコイルばね５を用いてソケット装置３が取り付けられている。そして、ソケット装置３にランプ装置６が取り付けられている。なお、平板１３には、ねじ４の干渉を避ける孔１３ａが形成されている。
【００３８】
ソケット装置３は、略円筒体に形成されたものであり、図３に示すように、ソケット本体１６、係止凹部１７、柱体１８、貫通孔１９、一対の接続孔２０，２０および受金２１，２１を有して構成される。
【００３９】
ソケット本体１６は、電気絶縁性の合成樹脂例えばポリカーボネート（ＰＣ）樹脂にて形成され、一面（下面）１６ａが平面状に形成されるとともに、他面（上面）１６ｂに所定の肉厚および高さを有する円筒部２２が設けられている。この円筒部２２は、ソケット本体１６の一面１６ａの中央領域に円形状の開口２３を有するように形成されている。
【００４０】
係止凹部１７は、円筒部２２の内壁面２２ｃに形成されたものであり、図４に示すように、円筒部２２をその外側に押し出す形状に形成されたものであり、縦溝部２４および横溝部２５を有する略Ｌ形に形成されている。縦溝部２４は、ソケット本体１６の一面１６ａでもある円筒部２２の下面２２ａから円筒部２２の上面２２ｂに亘って、所定の幅および深さで形成されている。また、横溝部２５は、縦溝部２４に連通し、円筒部２２の周回方向であって上面２２ｂ側に縦溝部２４と同等の深さで所定長形成されている。
【００４１】
そして、円筒部２２の縦溝部２４および横溝部２５の境界部分は、滑らかな曲面の傾斜部２６に形成されている。係止凹部１７の幅や深さ等は、ランプ装置６の後述する係止凸部が嵌合可能に設定されている。また、円筒部２２には、ランプ装置６の後述する突出部が近接して挿入される。
【００４２】
柱体１８は、器具本体２のねじ孔１５に対応して設けられるものであり、図３（ａ）に示すように、ソケット本体１６の他面１６ｂ側にソケット本体１６と一体的に立設されている。そして、柱体１８は、円柱状に形成され、円筒部２２の周回方向で９０°の等間隔で４個が設けられているとともに、図２に示すように、ソケット本体１６からの高さが円筒部２２の高さ以上となっている。
【００４３】
貫通孔１９は、ねじ４およびコイルばね５を挿入するものであり、柱体１８に横断面が円孔にて形成されているとともに、柱体１８をソケット本体１６の一面１６ａから柱体１８の上面１８ａまで貫通するように形成されている。そして、貫通孔１９は、ソケット本体１６側が径大に形成され、ソケット本体１６の反対側（非ソケット本体側または柱体１８の上面１８ａ側）が径小に形成され、その中間に段部２７を有するように形成されている。すなわち、ソケット本体１６側は、ねじ４の頭部４ａを挿入可能な大きさに形成され、ソケット本体１６の反対側は、ねじ４の頭部４ａを挿入不能であってねじ４のねじ部４ｂを挿通可能な大きさに形成される。なお、貫通孔１９および段部２７は、柱体１８により形成されるので、以降、段部２７を柱体１８のものとも称する。
【００４４】
そして、貫通孔１９のソット本体１６の一面１６ａから段部２７までの深さは、ソケット装置３が器具本体２に取り付けられたときに、ねじ４の頭部４ａがソケット本体１６の一面１６ａから突出することがないように設定されている。
【００４５】
図３において、一対の接続孔２０，２０は、ランプ装置６の後述の一対の接続ピンに対応して設けられたものであり、ソケット本体１６の一面１６ａ側に一対の接続ピンを差し込むことができるように形成されている。また、ランプ装置６の回動に伴って一対の接続ピンが移動可能に略円弧状の長孔に形成されている。さらに、一対の接続孔２０，２０は、ソケット本体１６の１８０°回転対称の位置に設けられている。
【００４６】
受金２１,２１は、一対の接続孔２０，２０に対応してソケット本体１６にそれぞれ設けられている。そして、受金２１，２１は、一対の接続孔２０，２０に差し込まれるランプ装置６の一対の接続ピンに、ランプ装置６が回動されるときに一対の接続ピンを挟持して電気接続するように、一対の接続孔２０，２０の中間から一端側に亘ってそれぞれ設けられている。受金２１，２１は、図３（ａ）に示すように、ソケット本体１６の他面１６ｂ側においてソケット本体１６に取り付けられた電源コネクタ２８，２８に接続され、ソケット装置３に入力される外部電源に電気接続されている。
【００４７】
また、ソケット本体１６には、図３（ｂ）に示すように、一対の接続孔２０，２０および受金２１，２１とそれぞれ同様に形成された一対の接続孔２９，２９および受金３０，３０が設けられている。一対の接続孔２９，２９は、ソケット本体１６の１８０°回転対称の位置に、かつ一対の接続孔２０，２０に対して９０°回転対称の位置に設けられている。受金３０，３０は、図３（ａ）に示すように、ソケット本体１６の他面１６ｂ側に取り付けられた通信コネクタ３１，３１に接続されている。通信コネクタ３１，３１は、調光信号を送信する外部の調光装置に接続されている。
【００４８】
取付け手段としてのねじ４およびコイルばね５は、図２に示すように、ソケット装置３を器具本体２に取り付けている。ねじ４は、頭部４ａ、ねじ部４ｂおよび中間部４ｃに形成されている。中間部４ｃは、頭部４ａより径小、ねじ部４ｂよりも径大であって柱体１８に形成された貫通孔１９の径小部分を挿通可能な大きさに形成されている。頭部４ａには、六角レンチなどの工具が挿入される六角穴３２が形成されている。ねじ部４ｂは、器具本体２に形成されたねじ孔１５に螺着可能に形成されている。こうして、ねじ４は、六角穴３２付の止めねじに形成されている。
【００４９】
コイルばね５は、その内側にねじ４のねじ部４ｂおよび中間部４ｃを挿通し、その外径が貫通孔１９の径小部分よりも大きく、かつねじ４の頭部４ａよりも小さくなるように形成されている。すなわち、コイルばね５は、その伸縮方向をねじ４の頭部４ａおよび貫通孔１９の径大部分および径小部分の境界である段部２７で挟み込み可能に形成されている。
【００５０】
コイルばね５は、ソケット装置３の貫通孔１９にソケット本体１６の一面１６ａ側から挿入される。そして、器具本体２のねじ孔１５に螺着されるねじ４の頭部４ａに押圧されて柱体１８の段部２７に当接し、ねじ４が螺着されるにしたがい圧縮する。ねじ４は、その頭部４ａがソケット本体１６の一面１６ａから突出しないように器具本体２に螺着される。
【００５１】
コイルばね５は、圧縮に伴って弾性復帰力が発生し、圧縮量が大きくなるにしたがって弾性復帰力が大きくなる。ねじ４は、そのねじ部４ｂが器具本体２のねじ孔１５に螺着されて器具本体２に固定されているので、コイルばね５に発生した弾性復帰力は、柱体１８の段部２７において柱体１８を器具本体２側に押圧する。そして、コイルばね５は、ねじ４の頭部４ａがソケット本体１６の一面１６ａから突出しなくなる時点では、柱体１８の上面１８ａが器具本体２の平板部９の内面９ｂに当接するように形成されている。
【００５２】
こうして、ねじ４が貫通孔１９に収容されるように器具本体２に取り付けられることにより、ソケット装置３は、器具本体２の平面部９に取り付けられている。このとき、コイルばね５は、さらに圧縮可能となるように設けられている。ソケット装置３には、ランプ装置６が着脱可能に取り付けられる。
【００５３】
ランプ装置６は、図５に示すように、口金本体３３、照明用ランプ３４および点灯装置３５を有して構成される。そして、口金本体３３は、ＧＸ５３形の口金構造に構成されたものであり、基体３６、突出部３７、一対の接続ピン３８，３８、他の一対の接続ピン３９，３９および係止凸部４０を有して構成されている。
【００５４】
基体３６は、円筒状に形成され、その一端側３６ａが平面部４１に形成されている。突出部３７は、基体３６の平面部４１の中央領域から上方に突出し、平面状の上面３７ａを有する円筒状に形成されている。そして、突出部３７は、ソケット装置３の円筒部２２の内壁面２２ｃに近接して円筒部２２に挿入可能に形成されている。また、突出部３７は、その高さが円筒部２２よりも幾分大きくなるように形成されている（図２に示す。）。
【００５５】
一対の接続ピン３８，３８は、ソケット装置３の一対の接続孔２０，２０に対応して設けられたものであり、基体３６の平面部４１から上方に所定長突設されているとともに、図示しないリード線により点灯装置３５の入力側に接続されている。一対の接続ピン３８，３８は、ランプ装置６がソケット装置３に取り付けられるときに、一対の接続孔２０，２０に差し込まれ、その後のランプ装置６の回動により受金２１，２１に電気接続される。
【００５６】
他の一対の接続ピン３９，３９は、ソケット装置３の他の一対の接続孔２９，２９に対応して設けられたものであり、一対の接続ピン３８，３８と同様に突設されているとともに、図示しないリード線により点灯装置３５の入力側に接続されている。他の一対の接続ピン３９，３９は、ランプ装置６がソケット装置３に取り付けられるときに、他の一対の接続孔２９，２９に差し込まれ、その後のランプ装置６の回動により受金３０，３０に電気接続される。
【００５７】
係止凸部４０は、突出部３７の外壁面３７ｂに突設され、ソケット装置３の係止凹部１７に嵌合可能に４個が形成されている。４個の係止凸部４０は、突出部３７がソケット装置３の円筒部２２に挿入されたときに、円筒部２２に形成された係止凹部１７の縦溝部２４に挿入される。さらに円筒部２２が挿入されて、ランプ装置６が回動されたときに、係止凹部１７の横溝部２５に嵌合するものである。これによりランプ装置６は、ソケット装置３に支持されて取り付けられる。このとき、突出部３７の上面３７ａが器具本体２の平板部９に当接するように、突出部３７の基体３６の平面部４１からの高さが設定されている。
【００５８】
照明用ランプ３４は、基体３６の他端側３６ｂに設けられた円筒状の光源本体４２の内部に設けられている。そして、照明用ランプ３４は、複数個の発光ダイオードからなり、光源本体４２の図示しない底板部に取り付けられた基板４３に実装されて構成されている。照明用ランプ３４は、例えば白色光を放射する。この白色光は、光源本体４２に取り付けられた透光性のグローブ４４を透過して放射される。
【００５９】
なお、光源本体４２の外周面４２ａの基体３６側は、例えばローレット構造の放熱部に形成されている。また、グローブ４４の外周縁４４ａには、ランプ装置６をソケット装置３に手で取り付けるときの滑り止め用としての図示しないノブが設けられている。
【００６０】
点灯装置３５は、口金本体３３の基体３６および突出部３７の内部に配設されている。そして、一対の接続ピン３８，３８を介して外部電源が供給されて動作し、照明用ランプ３４を点灯する周知の回路にて形成されている。また、他の一対の接続ピン３９，３９を介して調光装置から調光信号を入力し、照明用ランプ３４を調光点灯させるように形成されている。
【００６１】
次に、本発明の実施例１の作用について述べる。
【００６２】
ソケット装置３は、取付け手段としてのねじ４およびコイルばね５により、図１および図２において説明したように取り付けられる。そして、ソケット装置３にランプ装置６が取り付けられる。
【００６３】
ランプ装置６は、ソケット装置３に取り付けられるときに、例えばグローブ４４の外周縁のノブ部分が手で掴まれるなどして、まず、突出部３７の上面３７ａがソケット装置３の円筒部２２に挿入される。そして、突出部３７の外壁面３７ｂに設けられた複数個の係止凸部４０を円筒部２２に設けた係止凹部１７の縦溝部２４に位置合わせして挿入する。係止凸部４０は、係止凹部１７の縦溝部２４に嵌合する。
【００６４】
さらに、ランプ装置６を器具本体２側に移動させると、突出部３７の外壁面３７ｂが円筒部２２の内壁面２２ｃに沿うとともに、係止凸部４０が係止凹部１７の縦溝部２４に沿って移動し、突出部３７の上面３７ａが器具本体２の平板部９の内面９ｂに当接する。この状態で、ランプ装置６を円筒部２２の周回方向に回動させると、係止凸部４０は、係止凹部１７の傾斜部２６を乗り越えるようにして横溝部２５に嵌合する。
【００６５】
突出部３７の上面３７ａは、器具本体２の平板部９に当接しているので、係止凸部４０は、ソケット装置３を器具本体２と反対側に押し下げるようにする。このとき、取付け手段のねじ４は、器具本体２に固定されているので、コイルばね５が圧縮され、ソケット装置３は、器具本体２と反対側に押し下げられる。ソケット装置３の柱体１８の上面１８ａと、器具本体２の平板部９の内面９ｂとの間には、図２に示すように、隙間ｇが形成される。
【００６６】
そして、コイルばね５は、圧縮された分、弾性復帰力が増加し、柱体１８の段部２７を押圧してソケット装置３を器具本体２側に押圧する。この押圧は、ソケット装置３の係止凹部１７に嵌合している係止凸部４０を介してランプ装置６を器具本体２側に押圧させる。突出部３７の上面３７ａは、器具本体２の平板部９に当接しているので、その全域が密接して平板部９に当接するようになる。これにより、照明用ランプ３４および点灯装置３５に発生した熱は、突出部２２から器具本体２に迅速に伝熱されて、器具本体２の外面２ｃから外部空間に放熱される。
【００６７】
上述したように、本実施形態の照明器具１は、器具本体２に取付け手段としてのねじ４およびコイルばね５を用いてソケット装置３を取り付けるとともに、ソケット装置３にランプ装置６を取り付けたときにランプ装置６の突出部３７が器具本体２の平板部９に当接しコイルばね５がさらに圧縮するように構成されているので、突出部３７の上面３７ａを器具本体２の平板部９に密接して当接させることができ、これにより、ランプ装置６に発生した熱を器具本体から迅速に外部空間に放熱させることができる。
【００６８】
そして、ソケット装置３は、その周回方向に等間隔で４個の柱体１８および貫通孔２７が設けられて、４箇所で器具本体２に取り付けられるので、ねじ４およびコイルばね５の取付け手段を用いて器具本体２に取り付けられるものであっても、コイルばね５の弾性復帰力に幾分の相違があっても、ランプ装置６を安定して取り付けることができるとともに、突出部３７の上面３７ａを均等に器具本体２の平板部９に密接させることが可能となる。
【００６９】
また、ソケット装置３は、その円筒部２２の内壁面２２ｃに、その周回方向に等間隔で４個の係止凹部１７を形成し、ランプ装置６は、その突出部３７の外壁面３７ｂに、その周回方向に等間隔で４個の係止凸部４０を形成しているので、係止凸部４０を係止凹部１７に嵌合させたときに、ランプ装置６をソケット装置３に安定して取付けることができる。
【００７０】
また、ソケット装置３には、電源給電に供するための一対の接続孔２０，２０および受金２１，２１の他に、照明用ランプ３４の調光に供するための他の一対の接続孔２９，２９および受金３０，３０を設け、ランプ装置６に一対の接続ピン３８，３８および他の一対の接続ピン３９，３９を設けているので、点灯装置３５は、外部の調光装置からの調光信号により照明用ランプ３４を調光点灯させることができ、これにより、被照射面の明るさを所望に可変させることができる。
【実施例２】
【００７１】
図６および図７は、本発明の実施例２を示し、図６は照明器具の一部概略縦断面図、図７はソケット装置の内壁面の一部を示す概略斜視図である。なお、図２および図４と同一部分には同一符号を付して説明は省略する。
【００７２】
図６に示す照明器具４５は、図２に示す照明器具１において、ソケット装置３Ａがねじ４により器具本体２に取り付けられている。柱体１８Ａは、その貫通孔１９Ａの径大部がねじ４の頭部４ａを収納可能に形成されている。そして、ねじ４は、その頭部４ａが段部２７に当接するまで、そのねじ部４ｂが器具本体２のねじ孔１５に螺着されている。このとき、柱体１８Ａの上面１８Ａａは、器具本体２の平板部９の内面９ｂとの間に隙間ｇを有してもよく、内面９ｂに当接してもよい。
【００７３】
そして、ソケット装置３Ａは、図７に示すように、円筒部２２の係止凹部１７の横溝部２５であって円筒部２２の一面２２ａ側に板ばね４６が設けられている。この板ばね４６は、ランプ装置６の係止凸部４０が横溝部２５に嵌合したときに、その先端部４６ａ側が押圧される。そして、その押圧に対する抗力（弾性復帰力）を係止凸部４０に作用させる。
【００７４】
板ばね４６の抗力により係止凸部４０が器具本体２側に押圧されることにより、ランプ装置６が器具本体２側に押圧される。これにより、突出部３７の上面３７ａは、器具本体２の平板部９に密接して当接する。ランプ装置６に発生した熱は、突出部２２から器具本体２に迅速に伝熱されて、器具本体２の外面２ｃから外部空間に放熱される。
【００７５】
このように、本実施形態の照明器具４５は、ソケット装置３Ａの係止凹部１７に設けた板ばね４６がランプ装置６を器具本体２側に押圧するように構成されているので、突出部３７の上面３７ａを器具本体２の平板部９に密接して当接させることができ、これにより、ランプ装置６に発生した熱を器具本体から迅速に外部空間に放熱させることができる。
【実施例３】
【００７６】
図８および図９は、本発明の実施例３を示し、図８はソケット装置の概略下面図、図９はランプ装置を示し、（ａ）は概略上面図、（ｂ）は概略側面図である。なお、図３および図５と同一部分には同一符号を付して説明は省略する。
【００７７】
図８に示すソケット装置３Ｂは、図３に示すソケット装置３において、柱体１８および貫通孔１９が円筒部２２の周回方向に等間隔で３個設けられたものである。したがって、ソケット装置３Ｂは、器具本体２に３箇所で取付け手段としてのねじ４およびコイルばね５により取り付けられる。また、同様に、係止凹部１７が円筒部２２の周回方向に等間隔で３個設けられたものである。したがって、ソケット装置３Ｂは、３箇所で係止凸部４０が嵌合される。
【００７８】
また、ソケット本体１６には、その周回方向であって３個の貫通孔１９（柱体１８）の間には、それぞれ一対の接続孔２０，２０および受金２１，２１と、一対の接続孔２９，２９および受金３０，３０と、１個の接続孔４７および受金４８が設けられている。接続孔４７および受金４８は、一対の接続孔２０，２０および受金２１，２１と同様に形成される。受金４８は、ソケット装置３Ｂに導入されたアース線に接続されている。
【００７９】
図９に示すランプ装置６Ｂは、図５に示すランプ装置６において、突出部３７の外壁面３７ｂにソケット装置３Ｂの係止凹部１７に対応する係止凸部４０が周回方向に等間隔で３個設けられている。また、基体３６の上面４１には、ソケット装置３Ｂの一対の接続孔２０，２０に差し込まれて受金２１，２１に電気接続される一対の接続ピン３８，３８と、一対の接続孔２９，２９に差し込まれて受金３０，３０に電気接続される一対の接続ピン３９，３９と、接続孔４７に差し込まれて受金４８に電気接続される接続ピン４９が突設されている。接続ピン４９は、一対の接続ピン３８，３８と同様に形成され、金属製の例えば光源本体４２に電気的に接続されている。
【００８０】
本実施形態の照明器具は、ソケット装置３がその周回方向に等間隔で３個の柱体１８および貫通孔２７が設けられて、３箇所で器具本体２に取り付けられるので、ねじ４およびコイルばね５の取付け手段を用いて器具本体２に取り付けられるものであっても、コイルばね５の弾性復帰力に幾分の相違があっても、ランプ装置６を安定して取り付けることができるとともに、突出部３７の上面３７ａを均等に器具本体２の平板部９に密接させることが可能となる。
【００８１】
また、ソケット装置３は、その円筒部２２の内壁面２２ｃに、その周回方向に等間隔で３個の係止凹部１７を形成し、ランプ装置６は、その突出部３７の外壁面３７ｂに、その周回方向に等間隔で３個の係止凸部４０を形成しているので、係止凸部４０を係止凹部１７に嵌合させたときに、ランプ装置６をソケット装置３に安定して取付けることができる。
【００８２】
そして、本実施形態の照明器具は、点灯装置３５に外部の調光装置から調光信号を入力し、ランプ装置６Ｂを外部のアース線に接続するように構成されるので、照明用ランプ３４を調光点灯させることができるとともに、ランプ装置６Ｂを接地することができて電撃に対する安全性が向上するという効果を有する。
【符号の説明】
【００８３】
１，４５…照明器具、  ２…器具本体、  ３，３Ａ，３Ｂ…ソケット装置、  ４…取付け手段としてのねじ、  ５…取付け手段としてのコイルばね、  ６，６Ｂ…ランプ装置、  ４６…取付け手段としての板ばね
【図１】
2012009292.tif 000003
【図２】
2012009292.tif 000004
【図３】
2012009292.tif 000005
【図４】
2012009292.tif 000006
【図５】
2012009292.tif 000007
【図６】
2012009292.tif 000008
【図７】
2012009292.tif 000009
【図８】
2012009292.tif 000010
【図９】
2012009292.tif 000011